(57)【要約】【課題】持ち運びに便利で使い勝手のよい手の指を濡らすための指濡らし器を提供する。【解決手段】水１１を入れる容器１２と、容器１２に被さる蓋２０と、蓋２０を貫通して上方に付勢される押圧部材１４とを有し、押圧部材１４には吐水口１５が設けられた指濡らし器１０において、押圧部材１４の上部には手の指１３幅より狭い溝１８が設けられ、溝１８内に吐水口１５が設けられて、押圧部材１４を押すことによって、容器１２内の水１１の一部が吐水口１５から噴出する。【選択図】図１
2012250427.tif 000002
【特許請求の範囲】
【請求項１】
水を入れる容器と、該容器に被さる蓋と、該蓋を貫通して上方に付勢される押圧部材とを有し、該押圧部材には吐水口が設けられた指濡らし器において、
前記押圧部材の上部には手の指幅より狭い溝が設けられ、該溝内に前記吐水口が設けられて、前記押圧部材を押すことによって、前記容器内の水の一部が前記吐水口から噴出することを特徴とする指濡らし器。
【請求項２】
請求項１記載の指濡らし器において、前記容器内に水を含ませたスポンジを有することを特徴とする指濡らし器。
【請求項３】
請求項１記載の指濡らし器において、前記容器の上部に前記蓋が螺合すると共に、前記容器と前記蓋との間には第１のシール部材が設けられ、前記押圧部材は前記蓋に第２のシール部材を介して上下動可能に設けられていることを特徴とする指濡らし器。
【請求項４】
請求項１〜３のいずれか１に記載の指濡らし器において、前記吐水口には、常時は前記吐水口を閉塞し、前記押圧部材を押して前記容器内の水を噴出する場合に開となる逆止弁が設けられていることを特徴とする指濡らし器。
【請求項５】
請求項１〜４のいずれか１に記載の指濡らし器において、前記蓋及び前記容器は、頭部が着脱する人形ケース内に収納されていることを特徴とする指濡らし器。
【発明の詳細な説明】
【技術分野】
【０００１】
本発明は、乾燥した手の指先を水で湿らせる為の指濡らし器に関する。
【背景技術】
【０００２】
従来、買い物でビニール袋の開口や紙幣を取り出したりする際に、指先が乾燥しているとうまく行えない場合があり、その場合、指先を舐める等して指先を湿らせるので不衛生であった。このような問題を解決するために、例えば、特許文献１に記載された指先濡らし器具では、台座にアトマイザーを格納しやすいように、窪みを設け、ノズルを上向きにして、横置きに格納し、クジラをイメージしたカバー本体の先端に支軸を設け、潮吹き穴とノズルが同じ位置になり、この上に人さし指をかざし、背に載せた手のひらで、尾を下方に押し下げるとテコの働きでアトマイザーのノズルより水が、あたかもクジラが潮を吹くがごとく、霧状になって潮吹き穴にかざした人さし指をめがけ噴射して適度に濡らすようにしていた。
【０００３】
また、特許文献２に記載された指先濡らし器では、水溶液を充填した容器にボール状体を水溶液に接するか又はその一部が没するように収容し、上面略中央に孔部を穿設した蓋体を用いて、ボール状体の一部を蓋体の孔部より円弧状に突出させていた。そして、その外部に露呈されたボール状体の円弧状部分を回転してその湿潤部分を指で触れることで、指に適度な湿潤を与えるようにしていた。
【先行技術文献】
【特許文献】
【０００４】
【特許文献１】特開２００９−０７２７４８号公報
【特許文献２】特開２００６−１５０９３３号公報
【発明の概要】
【発明が解決しようとする課題】
【０００５】
しかしながら、特許文献１、２で開示されている指濡らし器は以下のような問題点があった。
（１）特許文献１では、指濡らし器自体を台に固定して、噴射口の上方に合わせて濡らしたい指を置き、その状態で手のひらで指濡らし器のカバー本体を操作して水を噴射させるので、台に固定することが必要になり外出先で使用するには使い勝手が悪かった。
（２）特許文献２では、公共施設例えば郵便局、登記所といった切手や印紙を取り扱う場所や図書館や閲覧所等に設置して、不特定多数の者が使用することが想定されており、個人が携帯して、必要な場所で使用するような持ち運び性が考慮されていなかった。
本発明は、かかる事情に鑑みてなされるもので、持ち運びに便利で使い勝手のよい指濡らし器を提供することを目的とする。
【課題を解決するための手段】
【０００６】
前記目的に沿う本発明に係る指濡らし器は、水を入れる容器と、該容器に被さる蓋と、該蓋を貫通して上方に付勢される押圧部材とを有し、該押圧部材には吐水口が設けられた指濡らし器において、
前記押圧部材の上部には手の指幅より狭い溝が設けられ、該溝内に前記吐水口が設けられて、前記押圧部材を押すことによって、前記容器内の水の一部が前記吐水口から噴出する。
【０００７】
本発明に係る指濡らし器において、前記容器内に水を含ませたスポンジを有することが好ましい。
【０００８】
本発明に係る指濡らし器において、前記容器の上部に前記蓋が螺合すると共に、前記容器と前記蓋との間には第１のシール部材が設けられ、前記押圧部材は前記蓋に第２のシール部材を介して上下動可能に設けられていることが好ましい。
【０００９】
本発明に係る指濡らし器において、前記吐水口には、常時は前記吐水口を閉塞し、前記押圧部材を押して前記容器内の水を噴出する場合に開となる逆止弁が設けられているのが好ましい。
【００１０】
本発明に係る指濡らし器において、前記蓋及び前記容器は、頭部が着脱する人形ケース内に収納されているのが好ましい。
【発明の効果】
【００１１】
本発明に係る指濡らし器は、容器に被さる蓋を貫通して上方に付勢される押圧部材の上部に手の指幅より狭い溝が設けられ、溝内に吐水口が設けられているので、片手で指濡らし器を持ったまま、指で押圧部材を押すことによって吐水口から水を噴出して操作した指の一部のみを濡らすことができ使い勝手がよい。
【００１２】
本発明に係る指濡らし器において、容器内に水を含ませたスポンジを有する場合、別途の付勢手段やシール部材を必要としないで小型で簡便な構造とすることができる。
【００１３】
本発明に係る指濡らし器において、容器の上部に蓋が螺合すると共に、容器と蓋との間に第１のシール部材が設けられ、押圧部材は蓋に第２のシール部材を介して上下動可能に設けられている場合、持ち運び時に指濡らし器を転倒させても容器、押圧部材及び蓋の隙間から容器内の水が漏れることがなく、持ち運びに便利である。
【００１４】
本発明に係る指濡らし器において、常時は、吐水口の流路を閉塞して、押圧部材を押すと流路を開く逆止弁が設けられている場合、吐水口からの水の蒸発を防ぐことができ、且つ転倒させても吐水口から水が漏れることがない。
【００１５】
そして、本発明に係る指濡らし器において、蓋及び容器が、頭部が着脱する人形ケース内に収納されている場合、人形ケースに入れて持ち歩いてアクセサリとして使用でき持ち運びに適している。
【図面の簡単な説明】
【００１６】
【図１】（Ａ）、（Ｂ）は本発明の第１の実施の形態に係る指濡らし器の蓋の着脱状態を示す説明図である。
【図２】（Ａ）、（Ｂ）はそれぞれ同指濡らし器の押圧非操作時及び押圧操作時の断面図である。
【図３】（Ａ）、（Ｂ）はそれぞれ本発明の第２の実施の形態に係る指濡らし器の押圧非操作時及び押圧操作時の断面図であり、（Ｃ）は変形例に係る押圧部材の断面図である。
【図４】（Ａ）〜（Ｃ）は本発明の第１の実施の形態に係る指濡らし器の指操作時の説明図である。
【図５】（Ａ）〜（Ｃ）は同指濡らし器を人形ケースに収納する状態を示す説明図である。
【発明を実施するための形態】
【００１７】
続いて、添付した図面を参照しつつ、本発明を具体化した実施の形態につき説明し、本発明の理解に供する。
図１、図２に示すように、本発明の第１の実施の形態に係る指濡らし器１０は、水１１を入れる容器１２と、容器１２に被さる蓋２０と、蓋２０を貫通して上方に付勢される押圧部材１４とを有している。以下、詳しく説明する。
【００１８】
図１（Ａ）、（Ｂ）に示すように、水１１を入れる容器１２は、上端部が開口しており、その開口部に蓋２０が着脱可能に設けられている。蓋２０には、押圧部材１４が貫通し、押圧部材１４の上部２２が蓋２０の上面部より突出している。押圧部材１４の上部２２には上方に開口した溝１８が形成され、その溝１８の底部には、吐水口１５が設けられている。そして、容器１２の上部外周面に雄ねじ２７が形成されるとともに、蓋２０の内周面に雌ねじ２８が設けられて互いにねじ結合するようになっている。蓋２０を廻すことにより、容器１２より蓋２０を取り外すことができる。その容器１２の上部の開口部から、容器１２内に、水１１を入れることができる。また、図４（Ａ）に示すように、容器１２は底を有する円筒形状であり、蓋２０も円筒形状である。また、押圧部材１４の上部２２が円筒形状であり、上部２２の半径方向に外縁部の一側から他側にかけて断面が長方形状の溝１８が設けられている。溝１８の幅は押圧部材１４の上部２２の直径幅の０．４〜０．８倍に設けられている。溝１８の深さは溝１８の幅の０．２〜０．８倍に設けられている。
【００１９】
図２（Ａ）に示すように、容器１２には、水１１が満たされており、この容器１２の上端部と蓋２０との間には、容器１２内の水１１が漏れるのを防止する第１のシール部材（ガスケット）２６が設けられている。さらに押圧部材１４の外周面と蓋２０の内周面の間に第２のシール部材（Ｏリング）２４が設けられている。第２のシール部材２４は、押圧部材１４の外周面に形成された凹部３３に嵌め込まれて、第２のシール部材２４を介して、押圧部材１４は蓋２０に上下動可能に設けられている。
【００２０】
また、押圧部材１４の下部に挿入孔２９が設けられ、その挿入孔２９にチューブ２１が挿入されて、チューブ２１の長さは曲がって容器１２の内周面に接する程度で、そのチューブ２１の撓みの反発力で押圧部材１４を上方に付勢している。また、当然にチューブ２１は中空になっており水１１の流路になっていて、チューブ２１の下端部には、水１１を通すための給水口１７が設けられており、チューブ２１の上端部も開口している。挿入孔２９に挿入されたチューブ２１は、押圧部材１４の挿入孔２９に連通する第２の貫通孔３０と連通している。そして、押圧部材１４の下端部には周方向に突出部３５が形成されており、上方向に動作する押圧部材１４の突出部３５に当接する上受け部３５ａが蓋２０の内周面に形成されているおり、押圧部材１４の上方向の抜けを防止している。また同様に、下方向に動作する押圧部材１４の突出部３５に当接する下受け部３４が容器１２の内周面に形成され、押圧部材１４の下方向への押し込みを規制している。
【００２１】
押圧部材１４の内部に下部が漏斗状に形成された円筒形状のボール室３２が設けられ、第２の貫通孔３０の開口部より径が大きいボール２５と、ボール２５を第２の貫通孔３０の開口部に付勢するコイルばね１９とで逆止弁３１が構成されている。そして、その逆止弁３１のボール室３２は、溝１８の底部を形成するねじ駒２３に設けられた第１の貫通孔１６と押圧部材１４の内部に設けられた第２の貫通孔３０とを連通して水１１の流路を形成している。また、ボール室３２には、ボール２５が挿入されており、ボール２５は、流路の上流側である第２の貫通孔３０の開口部に付勢して常時閉止している。ここで、容器１２内の水１１が吐水口１５から噴射する水１１の流路においては、吐出口１５側が下流側で、容器１２側が上流側となる。ボール室３２は、下流側にある第１の貫通孔１６と接続され、吐水口１５へ繋がっている。また、第１の貫通孔１６は、ねじ駒２３の中心を軸方向に貫通して設けられており、そのねじ駒２３は押圧部材１４の溝１８の底部にねじ込まれて水１１の流路を形成している。
【００２２】
次に、第１の実施の形態に係る指濡らし器１０の動作について図２（Ａ）、（Ｂ）の断面図を参照しながら示す。
常時（押圧部材１４が非操作時）は、図２（Ａ）に示すように、押圧部材１４はチューブ２１の撓みの反発力により上方に付勢されて、蓋２０の上部よりその一部が突出している。容器１２と蓋２０は第１のシール部材２６でシールされ、また、蓋２０と押圧部材１４は第２のシール部材２４でシールされている。さらに、逆止弁３１を構成するボール２５が第２の貫通孔３０の水１１の流路を塞いでいるので、吐水口１５からは、容器１２内の水１１は流出しないようになっている。
【００２３】
次に、図２（Ｂ）に示すように、押圧部材１４が押されると、容器１２内の空気又は水１１の体積は圧縮されて、容器１２内部の圧力が上昇する。その結果、容器１２内の水１１の一部が給水口１７から、チューブ２１の内部を通って押し上げられる。押し上げられた水１１は、第２の貫通孔３０を経由してボール２５を上方に押し上げて（即ち、逆止弁３１が開となって）、ボール室３２、ねじ駒２３に設けられた第１の貫通孔１６を介して吐水口１５から噴射される。ここで、一例として、指を濡らすのに必要な噴射される水の量は、少なくとも約一滴分の水の量（０．０５〜０．０７ｍＬ程度）であればよく、その程度で指先を湿らせることができる。また、あまり多くの水を一度に噴射させないように、押圧部材１４の押し込み量は、突出部３５と下受け部３４の位置関係により決めることができる。それにより、水１１の噴射量を調整できる。
【００２４】
また、チューブ２１の撓みの反発力のかわりに通常のコイルばね（図示せず）を押圧部材１４と容器１２の間に配置しコイルばねの力により押圧部材１４を上方に付勢してもよい。その場合は、チューブ２１は容器１２の内周面に接することなく、しかも撓まないような長さにして、容器１２の底まで延ばして水の流路を形成する。指濡らし器１０の大きさの一例としては、携帯性や指の幅を考慮すると、全体の長さが３〜８ｃｍ程度、直径１〜２ｃｍ程度が望ましい。この大きさの容器では、１０ｍＬ程度の水を入れることが可能となる。すると、約１４０〜２００回程度、噴射可能となる。吐水口１５の孔径は通常の噴霧器と同様に０．５〜１．０ｍｍ程度で水１１を霧状に噴霧することが可能である。
【００２５】
そして、操作する指１３と指濡らし器１０の関係を図４（Ａ）〜（Ｃ）に示す。指濡らし器１０は、押圧部材１４の中央部に指１３（たとえば親指）の幅より狭い溝１８が形成されている。その溝１８の底部の中央部に吐水口１５が設けられている。その押圧部材１４の上部２２を、指１３で押すようにして使用する。そうすれば、溝１８の幅は指１３の幅より狭く溝１８の深さがある程度（３〜１０ｍｍ）あるので、指１３が溝１８の底にある吐水口１５を塞ぐことなく、操作した指１３先を吐水口１５から噴出した水で直接濡らすことができる。また、指濡らし器１０の全体の長さが長くてもよければ溝の深さは必要に応じて１０ｍｍ以上あってもよい。そして、溝１８の側壁で、横方向の水１１の飛び散りが防止されるので、他の指や衣服に水がかかることがない。
【００２６】
指濡らし器１０の材質等について説明すると、容器１２、蓋２０及び押圧部材１４は樹脂（ＡＢＳ樹脂、ポリプロピレン等）製であり、一般的に機械強度や熱にも強い材質が使用される。また、チューブ２１は、一例として塩化ビニールや低密度ポリエチレンなどで撓んだ時の反発力があるものがよい。コイルばね１９は、鋼材で防錆処理をしたものを使用する。第２のシール部材２４、第１のシール部材２６は、ゴム系（エチレンプロピレンゴム等）の耐摩耗性、耐候性の良いものを使用する。また、ボール２５は、錆に強いステンレス鋼（ＳＵＳ）、樹脂（ＡＢＳ樹脂、ポリプロピレン等ｄ）が用いられる。
【００２７】
次に、本発明の第２の実施の形態に係る指濡らし器１０ａの構成を図３（Ａ）、（Ｂ）を参照しながら示す。
容器４６の中に水３６を吸収させたスポンジ３７が収納されている。そのスポンジ３７が収納された容器４６は上端部が開口し、その開口部には蓋４５が設けられている。蓋４５には、押圧部材４０が貫通している。常時（押圧部材４０が非操作時）、押圧部材４０は、スポンジ３７の反発力により上方に付勢され、押圧部材４０の上部が蓋４５の上部より突出している。
【００２８】
その押圧部材４０には溝３８が形成され、その溝３８の底部には、吐水口３９が設けられている。また、押圧部材４０の下端部には周方向に突出部５０が形成され、上方向に動作する押圧部材４０の突出部５０に当接する上受け部５４が蓋４５の内周面に形成され、押圧部材４０が上方に抜けないようにしている。そして、容器４６の上部外周面に雄ねじ４７が形成されるとともに、蓋４５の内周面に雌ねじ４８が設けられて互いにねじ結合するようになっている。蓋４５を廻すことにより、容器４６より蓋４５を取り外すことができる。その容器４６の上部開口部から、容器４６より、スポンジ３７を取り出して水３６を含ませたりすることができる。
【００２９】
指濡らし器１０ａに使用する変形例である押圧部材４９について、図３（Ｃ）にて説明する。逆止弁５２は、溝５１の底部に下部が漏斗状に形成された円筒形状のボール室４３と、貫通孔５３の開口部より径が大きいボール４２で構成されている。そして、溝５１の底部に、吐水口４４が設けられた底板４１が設けられている。その吐水口４４の径は、ボール４２の径より小さいので、ボール４２がボール室４３より飛び出さないようになっている。また、ボール室４３は、貫通孔５３及び吐水口４４と繋がっている。さらに、ボール室４３には、ボール４２が挿入されており、常時（押圧部材４９が非操作時）は、ボール４２がボール４２自身の自重により貫通孔５３の開口部を閉止している。
【００３０】
次に、第２の実施の形態に係る指濡らし器１０ａの動作について図３（Ａ）、（Ｂ）を参照しながら示す。
常時（押圧部材４０が非操作時）は、図３（Ａ）に示すように、押圧部材４０が押されていないので、押圧部材４０はスポンジ３７の反発力により上方に付勢されている。また、スポンジ３７自身に保水力があるので、水３６はスポンジ３７の中に保持されている。そのために、容器４６内の水の流出を防止するシール部材を必要としない簡便な構造で指濡らし器１０ａを構成できる。
【００３１】
次に、図３（Ｂ）に示すように、押圧部材４０が押されると、容器４６内のスポンジ３７が圧縮され、内部に含んだ水３６が滲み出し、滲み出した水３６は、吐水口３９から噴射される。また、指を濡らす水の量は、最低約一滴分の水の量（０．０５〜０．０７ｍＬ程度）でいいので、その水の量で指濡らし器１０ａの機能を達成できる。また、スポンジ３７は、発泡ポリウレタン材質の自動車の洗車用途のスポンジに使用するものが吸水性能が優れ保水量を確保できるので、使用回数をより増加することができる。
【００３２】
そして、図３（Ｃ）に示す押圧部材４９を用いた場合、逆止弁５２を有しているので、ボール４２が自重により貫通孔５３の開口部を閉止している状態では、スポンジ３７に含まれた水３６が蒸発するのを防止できる。また、押圧部材４９が押されると、スポンジ３７内の水３６が貫通孔５３を経由して、ボール４２を押し上げ、ボール室４３を介して、吐水口４４より水３６が噴射される。
【００３３】
次に、人形ケース５５（外観が人形の形をしたケース）に、指濡らし器１０を収納する一例について、図５（Ａ）、（Ｂ）、（Ｃ）を用いて説明する。
人形ケース５５は、図５（Ａ）、（Ｂ）に示すように、頭部５６と人形ケース本体５７に分かれ、人形ケース５５の内部に指濡らし器１０を収納することができる。図５（Ａ）に示す人形ケース５５は、頭部５６を人形ケース本体５７に装着している状態である。また、人形ケース５５の肩部分に吊下げるためのストラップ５８が設けられている。このストラップ５８を携帯電話等に付けると忘れずに携帯でき持ち運びに便利で、使いたい時にすぐ使用できる。
【００３４】
図５（Ｂ）は、人形ケース５５の頭部５６が外されている状態であり、頭部５６は人形ケース本体５７の蓋となり、着脱可能である。そして、頭部５６を外して、人形ケース本体５７に指濡らし器１０を挿入して収納することが可能である。また頭部５６は、紛失しないように人形ケース本体５７と紐５９で繋がっている。
【００３５】
人形ケース本体５７に指濡らし器１０を収納すると、図５（Ｃ）に示すように、蓋２０の一部と押圧部材１４が人形ケース本体５７より突出した状態となる。この状態のままで、押圧部材１４を押して、指濡らし器１０を使用することができ、迅速に指を濡らすことが可能である。
【００３６】
以上、本発明の実施の形態を説明したが、本発明は、上記した形態に限定されるものでなく、要旨を逸脱しない変更等は全て本発明の適用範囲である。
【符号の説明】
【００３７】
１０、１０ａ：指濡らし器、１１：水、１２：容器、１３：指、１４：押圧部材、１５：吐水口、１６：第１の貫通孔、１７：給水口、１８：溝、１９：コイルばね、２０：蓋、２１：チューブ、２２：押圧部材の上部、２３：ねじ駒、２４：第２のシール部材（Ｏリング）、２５：ボール、２６：第１のシール部材（ガスケット）、２７：雄ねじ、２８：雌ねじ、２９：挿入孔、３０：第２の貫通孔、３１：逆止弁、３２：ボール室、３３：凹部、３４：下受け部、３５：突出部、３５ａ：上受け部、３６：水、３７：スポンジ、３８：溝、３９：吐出口、４０：押圧部材、４１：底板、４２：ボール、４３：ボール室、４４：吐出口、４５：蓋、４６：容器、４７：雄ねじ、４８：雌ねじ、４９：押圧部材、５０：突出部、５１：溝、５２：逆止弁、５３：貫通孔、５４：上受け部、５５：人形ケース、５６：頭部、５７：人形ケース本体、５８：ストラップ、５９：紐
【図１】
2012250427.tif 000003
【図２】
2012250427.tif 000004
【図３】
2012250427.tif 000005
【図４】
2012250427.tif 000006
【図５】
2012250427.tif 000007